(57)【要約】【課題】医療用長尺体の先端部の親水性を有する部位に液体を接触させる際、使用する液体の量を比較的少なくすることができ、また、医療用長尺体の先端部の親水性を有する部位に触れることなく、容易かつ迅速に、医療用長尺体を取り出すことができる医療用長尺体格納具および医療用長尺体格納具組立体を提供すること。【解決手段】ガイドワイヤ格納具３は、ガイドワイヤ２を収納し、先端側に配置された先端側管体４および基端側に配置された基端側管体５と、先端側管体４内に液体を供給する液体供給具が着脱自在に接続され、先端側管体４の基端部に設置された液体導入ポート６とを有している。先端側管体４および基端側管体５は、螺旋状に巻回され、先端側管体４の基端と基端側管体５の先端とは、互いに離間して配置されている。ガイドワイヤ２の先端部２１は、最先端部２１１を除き、先端側管体４内に収納される。【選択図】図１
2010178807.tif 000002
【特許請求の範囲】
【請求項１】
先端部と、該先端部の基端側に設けられた本体部とを有し、前記先端部の表面に親水性を有する部位を備え、前記本体部の表面に疎水性を有する部位を備える医療用長尺体を収納し、先端側に配置された先端側管体および基端側に配置された基端側管体と、
前記先端側管体内に液体を供給する液体供給具が着脱自在に接続される液体導入ポートとを有し、
前記先端側管体と前記基端側管体とが環状に巻回され、前記先端側管体の基端と前記基端側管体の先端とが互いに離間して配置され、前記先端側管体の長さは、前記基端側管体の長さよりも短く、
前記医療用長尺体の親水性を有する部位は、前記先端側管体内に収納され、
前記液体導入ポートは、前記先端側管体の途中または基端部に設けられることを特徴とする医療用長尺体格納具。
【請求項２】
前記先端側管体の長さをａ、前記基端側管体の長さをｂとしたとき、ｂ／ａは、３以上である請求項１に記載の医療用長尺体格納具。
【請求項３】
基端部が内周側、先端部が外周側となるように、前記先端側管体および前記基端側管体は、螺旋状に巻回されており、前記液体導入ポートは、その最外周に位置している請求項１または２に記載の医療用長尺体格納具。
【請求項４】
基端部が内周側、先端部が外周側となるように、前記先端側管体および前記基端側管体は、螺旋状に巻回されており、前記先端側管体の長さは、１周よりも短い請求項１ないし３のいずれかに記載の医療用長尺体格納具。
【請求項５】
請求項１ないし４のいずれかに記載の医療用長尺体格納具と、
前記医療用長尺体とを備えることを特徴とする医療用長尺体格納具組立体。
【発明の詳細な説明】
【技術分野】
【０００１】
本発明は、医療用長尺体格納具および医療用長尺体格納具組立体に関するものである。
【背景技術】
【０００２】
ガイドワイヤ（医療用長尺体）を収納するガイドワイヤ格納具（医療用長尺体格納具）が知られている。従来のガイドワイヤ格納具は、基端部が内周側、先端部が外周側となるように、螺旋状に巻回された１本の管体を有し、その管体内に、ガイドワイヤが収納されるようになっている（例えば、特許文献１参照）。
【０００３】
ガイドワイヤを使用する際は、まず、ガイドワイヤ格納具の管体の基端部からその管体内に、例えば、生理食塩水等の液体を供給する。これにより、ガイドワイヤの先端部の親水性を有する部位に、液体が接触し、潤滑性が発現する。次に、ガイドワイヤ格納具からガイドワイヤを取り出す。この際は、ガイドワイヤの先端部を手指で把持し、そのガイドワイヤを管体の先端部から引っ張り出す。
【０００４】
しかしながら、このような従来のガイドワイヤ格納具では、ガイドワイヤの先端部の親水性を有する部位に液体を接触させて潤滑性を発現させるには、管体の基端部から液体を供給するので、管体内のほぼ全体に液体を充填する必要がある。このため、例えば、長さが４００ｃｍのガイドワイヤの場合、使用する液体の量が多くなるので、医療現場で多用される小容量シリンジを使用すると何回も液体を注入しなくてはならず、労力と時間を要していた。
【０００５】
また、ガイドワイヤ格納具からガイドワイヤを取り出す際は、ガイドワイヤの先端部を手指で把持し、そのガイドワイヤを引っ張り出すので、ガイドワイヤの先端部の親水性を有する部位（潤滑性が発現した部位）に手指が触れてしまうという欠点がある。
【先行技術文献】
【特許文献】
【０００６】
【特許文献１】特開２００６−３４６０７５号公報
【発明の概要】
【発明が解決しようとする課題】
【０００７】
本発明の目的は、医療用長尺体の先端部の親水性を有する部位に液体を接触させる際、使用する液体の量を比較的少なくすることができ、また、医療用長尺体の先端部の親水性を有する部位に触れることなく、容易かつ迅速に、医療用長尺体を取り出すことができる医療用長尺体格納具および医療用長尺体格納具組立体を提供することにある。
【課題を解決するための手段】
【０００８】
このような目的は、下記（１）〜（１５）の本発明により達成される。
（１）  先端部と、該先端部の基端側に設けられた本体部とを有し、前記先端部の表面に親水性を有する部位を備え、前記本体部の表面に疎水性を有する部位を備える医療用長尺体を収納し、先端側に配置された先端側管体および基端側に配置された基端側管体と、
前記先端側管体内に液体を供給する液体供給具が着脱自在に接続される液体導入ポートとを有し、
前記先端側管体と前記基端側管体とが環状に巻回され、前記先端側管体の基端と前記基端側管体の先端とが互いに離間して配置され、前記先端側管体の長さは、前記基端側管体の長さよりも短く、
前記医療用長尺体の親水性を有する部位は、前記先端側管体内に収納され、
前記液体導入ポートは、前記先端側管体の途中または基端部に設けられることを特徴とする医療用長尺体格納具。
【０００９】
（２）  前記先端側管体の長さをａ、前記基端側管体の長さをｂとしたとき、ｂ／ａは、３以上である上記（１）に記載の医療用長尺体格納具。
【００１０】
（３）  基端部が内周側、先端部が外周側となるように、前記先端側管体および前記基端側管体は、螺旋状に巻回されており、前記液体導入ポートは、その最外周に位置している上記（１）または（２）に記載の医療用長尺体格納具。
【００１１】
（４）  基端部が内周側、先端部が外周側となるように、前記先端側管体および前記基端側管体は、螺旋状に巻回されており、前記先端側管体の長さは、１周よりも短い上記（１）ないし（３）のいずれかに記載の医療用長尺体格納具。
【００１２】
（５）  前記液体導入ポートは、前記先端側管体の途中または基端部に設けられた導入ポート本体部と、
前記導入ポート本体部に設けられ、側面に前記医療用長尺体が挿入される溝を有し、前記液体供給具が着脱自在に接続される管状の接続部とを備える上記（１）ないし（４）のいずれかに記載の医療用長尺体格納具。
【００１３】
（６）  前記接続部は、前記導入ポート本体部に対して着脱自在であり、
前記接続部を前記導入ポート本体部に取り付けると、該接続部により前記医療用長尺体の移動が阻止されるよう構成されている上記（５）に記載の医療用長尺体格納具。
【００１４】
（７）  前記導入ポート本体部への前記接続部の取り付けは、前記導入ポート本体部に前記接続部を嵌入することによりなされ、前記導入ポート本体部に前記接続部を嵌入することにより、前記導入ポート本体部と前記接続部とで前記溝に挿入された前記医療用長尺体が挟持され、これにより、前記医療用長尺体の移動が阻止されるよう構成されている上記（６）に記載の医療用長尺体格納具。
【００１５】
（８）  前記液体導入ポートは、前記医療用長尺体が配置される第１のポートと、前記液体供給具が着脱自在に接続される第２のポートとを有する上記（１）ないし（４）のいずれかに記載の医療用長尺体格納具。
【００１６】
（９）  前記第１のポートの内部に、弁体が設けられている上記（８）に記載の医療用長尺体格納具。
【００１７】
（１０）  前記液体導入ポートは、前記環状に巻回された前記先端側管体の接線の方向に突出している上記（１）ないし（９）のいずれかに記載の医療用長尺体格納具。
【００１８】
（１１）  前記液体導入ポートにおける液体の注入方向が先端側を向いている上記（１）ないし（１０）のいずれかに記載の医療用長尺体格納具。
【００１９】
（１２）  前記先端側管体は、先端部の内径および外径がそれぞれ基端部の内径および外径よりも小さいインサータを先端部に有する上記（１）ないし（１１）のいずれかに記載の医療用長尺体格納具。
【００２０】
（１３）  前記医療用長尺体は、前記先端側管体の基端と前記基端側管体の先端との間に露出しており、当該医療用長尺体格納具から前記医療用長尺体を取り出す際は、前記医療用長尺体の前記露出した部位を把持して前記医療用長尺体を先端方向に送るよう構成されている上記（１）ないし（１２）のいずれかに記載の医療用長尺体格納具。
【００２１】
（１４）  上記（１）ないし（１３）のいずれかに記載の医療用長尺体格納具と、
前記医療用長尺体とを備えることを特徴とする医療用長尺体格納具組立体。
【００２２】
（１５）  前記医療用長尺体は、ガイドワイヤまたはカテーテルである上記（１４）に記載の医療用長尺体格納具組立体。
【発明の効果】
【００２３】
本発明によれば、液体導入ポートが先端側管体の途中または基端部に設けられるので、医療用長尺体の先端部の親水性を有する部位に、液体を接触させ、潤滑性を発現させる際、使用する液体の量を比較的少なくすることができ、また、液体供給具から液体を供給する際の抵抗を比較的小さくすることができ、また、親水性を有する部位に、迅速に、液体を接触させることができる。すなわち、経済的であり、容易かつ迅速に、親水性を有する部位に液体を接触させることができる。
【００２４】
また、先端側管体の基端と基端側管体の先端とが互いに離間して配置されているので、医療用長尺体格納具から医療用長尺体を取り出す際は、その先端側管体の基端と基端側管体の先端との間の医療用長尺体の露出した部位を手指で把持してその医療用長尺体を先端方向に送ることができる。これにより、医療用長尺体の先端部の親水性を有する部位に触れることなく、容易かつ迅速に、医療用長尺体を取り出すことができる。
【図面の簡単な説明】
【００２５】
【図１】本発明の医療用長尺体格納具組立体をガイドワイヤ格納具組立体に適用した場合の第１実施形態を示す側面図である。
【図２】図１に示すガイドワイヤ格納具組立体の液体導入ポートを示す断面図である。
【図３】本発明の医療用長尺体格納具組立体をガイドワイヤ格納具組立体に適用した場合の第２実施形態における液体導入ポートを示す断面図である。
【発明を実施するための形態】
【００２６】
以下、本発明の医療用長尺体格納具および医療用長尺体格納具組立体を添付図面に示す好適な実施形態に基づいて詳細に説明する。なお、本実施形態では、代表的に、医療用長尺体としてガイドワイヤを用い、医療用長尺体格納具および医療用長尺体格納具組立体をそれぞれガイドワイヤ格納具およびガイドワイヤ格納具組立体に適用した場合について説明を行う。
【００２７】
＜第１実施形態＞
図１は、本発明の医療用長尺体格納具組立体をガイドワイヤ格納具組立体に適用した場合の第１実施形態を示す側面図、図２は、図１に示すガイドワイヤ格納具組立体の液体導入ポートを示す断面図である。
【００２８】
なお、以下では、図１中の時計回りの方向を「先端」、反時計回りの方向を「基端（後端）」、図２中の左側を「先端」、右側を「基端（後端）」、上側を「上」、下側を「下」として説明を行う。
【００２９】
図１に示すように、ガイドワイヤ格納具組立体（医療用長尺体格納具組立体）１は、ガイドワイヤ（医療用長尺体）２と、ガイドワイヤ２を収納（格納）するガイドワイヤ格納具３とを有している。
【００３０】
まず、ガイドワイヤ格納具３に収納されるガイドワイヤ２について説明する。
ガイドワイヤ２は、先端部２１と、先端部２１の基端側に設けられた本体部２２とを有している。このガイドワイヤ２は、図示の構成では、先端部２１および本体部２２で構成され、本体部２２がガイドワイヤ２の全体の大部分を占めている。なお、図１では、先端部２１と本体部２２とを区別し易いように、ガイドワイヤ２のうち、ガイドワイヤ格納具３の後述する先端側管体４内や基端側管体５内に挿入されている（位置する）部位について、先端部２１を一点鎖線で示し、本体部２２を破線で示す。
【００３１】
このガイドワイヤ２は、先端部２１の表面に親水性を有する部位（親水性部位）を備え、本体部２２の表面に疎水性を有する部位（疎水性部位）を備えている。親水性を有する部位とは、液体との接触により、潤滑性を発現する部位である。なお、ガイドワイヤ２は、先端部２１の表面に親水性部位を備え、本体部２２の表面に疎水性部位を備えるものであれば、その構造や構成材料等は、特に限定されないが、例えば、超弾性金属線で構成された芯材を有し、この芯材の外表面を後述する樹脂製の被覆層で覆うものであるのが好ましい。
【００３２】
前記芯材の構成材料は、特に限定されないが、例えば、Ｎｉ−Ｔｉ系合金等の超弾性合金等が好ましい。
【００３３】
また、ガイドワイヤ２の外径（直径）は、特に限定されないが、１．０ｍｍ以下であるのが好ましく、０．３〜０．９ｍｍ程度であるのがより好ましい。
【００３４】
また、ガイドワイヤ２の先端部２１のうち、最先端部２１１は、外力が付与されていない自然状態で、湾曲した形状、例えば、Ｊ字状をなしており、外力が付与されると、他の形状（例えば、直線状）に弾性変形し得るが、その外力が付与されなくなると、復元力により、元の形状に復元するよう構成されている。なお、ガイドワイヤ２の最先端部２１１の形状は、前記の形状には限定されず、例えば、外力が付与されていない自然状態で湾曲していなくてもよい。
【００３５】
そして、前述したように、このガイドワイヤ２の本体部２２の外表面には、例えば、フッ素系樹脂（ＰＴＦＥ、ＥＴＦＥ、ＰＦＡ等）等の疎水性材料がコーティングされている。すなわち、疎水性を有する被覆層が形成されている。
【００３６】
また、ガイドワイヤ２の先端部２１の外表面には、親水性材料がコーティングされている。すなわち、親水性を有する被覆層が形成されている。これにより、親水性材料が湿潤して潤滑性を生じ、ガイドワイヤ２の先端部２１の外表面の摩擦（摺動抵抗）が低減し、血管等の体腔内や、カテーテル等の器具内でガイドワイヤ２の摺動性が向上する。従って、ガイドワイヤ２の進退や回転等の操作の際の操作性が向上する。
【００３７】
親水性材料としては、例えば、セルロース系高分子物質、ポリエチレンオキサイド系高分子物質、無水マレイン酸系高分子物質（例えば、メチルビニルエーテル−無水マレイン酸共重合体のような無水マレイン酸共重合体）、アクリルアミド系高分子物質（例えば、ポリアクリルアミド、ポリグリシジルメタクリレート−ジメチルアクリルアミド（ＰＧＭＡ−ＤＭＡＡ）のブロック共重合体）、水溶性ナイロン、ポリビニルアルコール、ポリビニルピロリドン等が挙げられる。
【００３８】
このような親水性材料は、多くの場合、湿潤により潤滑性を発揮し、ガイドワイヤ２を挿入する血管等の体腔や前記器具の内壁面との摩擦抵抗（摺動抵抗）を低減する。これにより、ガイドワイヤ２の摺動性が向上し、ガイドワイヤ２の操作性がより良好なものとなる。
【００３９】
次に、ガイドワイヤ格納具３について説明する。
ガイドワイヤ格納具３は、ガイドワイヤ２を収納し、先端側に配置された先端側管体４および基端側に配置された基端側管体５と、先端側管体４内に液体を供給する図示しない液体供給具（例えば、シリンジ等）が着脱自在に接続される液体導入ポート６とを有している。液体導入ポート６は、先端側管体４の基端部に設置されている。なお、先端側管体４および基端側管体５の内部により、ガイドワイヤ２を収納する収納部が構成される。
【００４０】
先端側管体４は、その先端部に、硬質のインサータ４１を有している。すなわち、先端側管体４は、本体と、その本体の先端に設置されたインサータ４１とを有している。
【００４１】
このインサータ４１は、先細り形状をなしている。すなわち、インサータ４１の先端部の内径および外径は、それぞれ、その基端部の内径および外径よりも小さく設定されている。なお、インサータ４１は、先端側管体４の本体に対し、着脱自在でもよく、また、固着されていてもよい。
【００４２】
インサータ４１は、ガイドワイヤ２を、例えば、図示しないカテーテル内等に挿入する際、そのガイドワイヤ２の挿入に先立って、カテーテルのハブに接続される。ガイドワイヤ２の最先端部２１１は、Ｊ字状に湾曲しているので、このインサータ４１により、ガイドワイヤ２をカテーテル内に容易に挿入することができる。
【００４３】
先端側管体４の本体および基端側管体５は、それぞれ、可撓性を有するチューブで構成され、先端側管体４と基端側管体５とは、環状に巻回されている。すなわち、先端側管体４および基端側管体５は、基端部が内周側、先端部が外周側となるように、螺旋状に巻回されている（以下、この螺旋状に巻回された先端側管体４および基端側管体５を「螺旋状体」とも言う）。そして、先端側管体４の基端と基端側管体５の先端とは、互いに離間して配置されている。
【００４４】
また、先端側管体４および基端側管体５は、前記螺旋状に巻回された状態、すなわち、束ねられた状態で、複数（図示の構成では、５つ）の貫通孔を有する複数（図示の構成では、７つ）のクリップ（保持部材）７１により、その形状（状態）が保持されている。
【００４５】
ガイドワイヤ２は、その最先端部２１１が先端側管体４の先端、更には、インサータ４１の先端から外部に露出し、本体部２２の基端部である本体基端部２２２が基端側管体５内に挿入された状態で使用時まで保存される。ガイドワイヤ２の最先端部２１１を外部に露出させることより、その最先端部２１１が先端側管体４内に長期間挿入されたときのように、最先端部２１１の形状が少し伸びた形状に変形してしまうのを防止することができる。
【００４６】
また、ガイドワイヤ２の親水性を有する部位である先端部２１は、その最先端部２１１を除き、先端側管体４内に収納される。また、最先端部２１を先端側管体４内に収納した状態において、親水性を有する部位である先端部２１の全体が先端側管体４内に収納されるようになっている。
【００４７】
また、ガイドワイヤ２の疎水性を有する部位である本体部２２の途中の部位は、先端側管体４の基端と基端側管体５の先端との間に位置し、外部に露出している。この先端側管体４の基端と基端側管体５の先端との間に露出している本体部２２を手指で把持し、ガイドワイヤ２を先端方向や基端方向に送る操作を行う。
【００４８】
先端側管体４の基端と基端側管体５の先端とは、露出している本体部２２を手指で把持し、ガイドワイヤ２を先端方向や基端方向に送ることができる程度の長さ分だけ離間している。
【００４９】
先端側管体４の基端と基端側管体５の先端の間の離間距離（間隙距離）は、特に限定されないが、３〜２０ｃｍ程度であることが好ましく、５〜１５ｃｍ程度であることがより好ましい。これにより、前記ガイドワイヤ２を送る操作を容易に行うことができる。
【００５０】
また、先端側管体４の長さは、基端側管体５の長さよりも短い。具体的には、先端側管体４の長さをａ、基端側管体５の長さをｂとしたとき、ｂ／ａは、３以上であることが好ましく、４以上であることがより好ましく、５〜１１程度であることがさらに好ましい。これにより、先端側管体４内に液体を供給し、ガイドワイヤ２の先端部２１の親水性被覆層にその液体を接触させ、潤滑性を発現させる際に使用する前記液体の量を少なくすることができる。
【００５１】
また、先端側管体４の長さは、螺旋状体の１周よりも短い（先端側管体４は、１周していない）。これにより、液体導入ポート６は、螺旋状体の最外周に位置する。これにより、液体導入ポート６に液体供給具を接続し、その液体供給具により先端側管体４内に液体を供給し、ガイドワイヤ２の先端部２１の親水性被覆層にその液体を接触させ、潤滑性を発現させる操作（以下、単に「液体供給操作」とも言う）において、先端側管体４および基端側管体５が邪魔にならず、前記操作を容易かつ迅速に行うことができる。
【００５２】
さらに、液体導入ポート６の位置を先端側管体４の基端部に限定したことで、術者（操作者）が液体導入ポート６を間違えることなく、液体を供給することができる。
【００５３】
また、螺旋状体、すなわち、先端側管体４および基端側管体５の寸法や巻き数（巻き量）は、特に限定されず、ガイドワイヤ２の長さ等の諸条件に応じて適宜設定されるが、螺旋状体の巻き数は、３〜１０周程度が好ましく、４〜６周程度がより好ましい。
【００５４】
また、先端側管体４および基端側管体５の構成材料としては、それぞれ、特に限定されないが、例えば、各種の樹脂材料等を用いることができる。なお、先端側管体４および基端側管体５は、それぞれ、例えば、硬質樹脂や金属等の硬質材料で構成されていてもよい。また、先端側管体４および基端側管体５は、それぞれ、内部を視認可能に構成されていてもよい。
【００５５】
図２に示すように、液体導入ポート６は、先端側管体４の基端部に固着された管状の導入ポート本体部６１と、図示しない液体供給具が着脱自在に接続される管状の接続部６２とを備えている。
【００５６】
接続部６２は、導入ポート本体部６１に対して着脱自在に設置されている。この接続部６２の導入ポート本体部６１への取り付けは、導入ポート本体部６１に接続部６２を嵌入することによりなされる。
【００５７】
接続部６２の先端部６２１は、導入ポート本体部６１の基端部６１１に嵌入される部位であり、その先端部６２１の基端側には、接続部６２の先端部６２１を導入ポート本体部６１の基端部６１１に嵌入した際にその導入ポート本体部６１の基端に当接する大径部６２２が形成されている。
一方、接続部６２の基端部６２３は、液体供給具が接続される部位である。
【００５８】
また、接続部６２は、大径部６２２と基端部６２３との間であって、その外周側の側面に、切欠き部６２４を有している。
【００５９】
また、接続部６２は、その外周側の側面に溝６２５を有している。溝６２５は、接続部６２の先端から大径部６２２に亘って形成され、切欠き部６２４に連通しており、その溝６２５に、ガイドワイヤ２が挿入されるようになっている。すなわち、接続部６２を導入ポート本体部６１に取り付けた状態では、ガイドワイヤ２は、溝６２５に挿入され、その溝６２５を介して切欠き部６２から外部に露出する。これにより、接続部６２の基端部６２３に液体供給具を確実に接続させることができるとともに、ガイドワイヤ２を損傷、破損させてしまうことを防止することができる。
【００６０】
また、液体導入ポート６は、接続部６２を導入ポート本体部６１に取り付けると、その接続部６２によりガイドワイヤ２の移動が阻止されるよう構成されている。すなわち、導入ポート本体部６１に接続部６２を嵌入すると、導入ポート本体部６１と接続部６２とで溝６２５に挿入されたガイドワイヤ２が挟持され、これにより、ガイドワイヤ２の移動が阻止されるよう構成されている。これにより、ガイドワイヤ２とガイドワイヤ格納具３との位置関係を固定することができる。
【００６１】
この液体導入ポート６は、図１に示すように、先端側管体４の基端部における接線の方向に突出している。そして、液体導入ポート６における液体の注入方向は、先端側を向いている。これにより、液体供給操作を容易かつ迅速に行うことができる。
【００６２】
なお、導入ポート本体部６１および接続部６２の構成材料としては、それぞれ、特に限定されないが、例えば、各種の樹脂材料、金属材料等を用いることができる。また、導入ポート本体部６１および接続部６２は、それぞれ、内部を視認可能に構成されていてもよい。
【００６３】
次に、ガイドワイヤ格納具組立体１（ガイドワイヤ格納具３）の作用、すなわち、ガイドワイヤ格納具３に収納されているガイドワイヤ２を使用する際の手順について、図１を参照しつつ、その一例を説明する。
【００６４】
内部に、例えば、生理食塩水等の液体が充填された図示しないシリンジ（液体供給具）を液体導入ポート６の接続部６２に接続し、そのシリンジにより、先端側管体４内に液体を供給する。供給された液体は、先端側管体４内を先端方向に流れてゆき、これにより、ガイドワイヤ２の先端部２１の外表面、すなわち、親水性被覆層に液体が接触し、潤滑性が発現する。インサータ４１の先端から露出しているガイドワイヤ２の最先端部２１１もインサータ４１の先端からの液体の噴出または、液体が最先端部２１１を伝うことによって表面が濡れて潤滑性が発現する。
【００６５】
次に、ガイドワイヤ格納具３からガイドワイヤ２を取り出す。この際、まずは、導入ポート本体部６１から接続部６２を取り外す。これにより、ガイドワイヤ２の移動が可能となる。
【００６６】
次に、先端側管体４の基端と基端側管体５の先端との間に露出しているガイドワイヤ２の本体部２２を手指で把持し、そのガイドワイヤ２を先端方向に移動させる。これにより、ガイドワイヤ２は、先端側管体４の先端（先端側）から外部に押し出されてゆく。本体部２２の表面は疎水性を有するので、手指が親水性を有する部位よりも滑り難く、把持し易く、４００ｃｍの比較的長いガイドワイヤであっても容易に移動させることができる。
【００６７】
そして、ガイドワイヤ２の本体部２２の先端部である本体先端部２２１が、先端側管体４の先端（先端側）から外部に押し出されると、その本体先端部２２１を手指で把持し、そのガイドワイヤ２を先端側管体４の先端から引っ張り出す。
【００６８】
このようにして、ガイドワイヤ２の先端部２１の親水性被覆層に触れることなく、容易かつ迅速に、ガイドワイヤ２を取り出すことができる。
【００６９】
以上説明したように、このガイドワイヤ格納具３（ガイドワイヤ格納具組立体１）によれば、液体導入ポート６が先端側管体４の基端部に設置されているので、ガイドワイヤ２の先端部２１の親水性被覆層に、液体を接触させ、潤滑性を発現させる際、使用する液体の量を比較的少なくすることができ、また、液体供給具から液体を供給する際の抵抗を比較的小さくすることができ、また、親水性被覆層に、迅速に、液体を接触させることができる。すなわち、経済的であり、容易かつ迅速に、親水性被覆層に液体を接触させることができる。
【００７０】
また、先端側管体４は、その先端部にインサータ４１を有しているので、インサータ４１により、先端側管体４内に供給された液体の流出を抑制することができ、先端側管体４内、特に、先端側管体４の先端側における液体の滞留時間を比較的長くすることができ、これにより、ガイドワイヤ２の親水性被覆層に、確実に潤滑性を生じさせることができる。
【００７１】
また、液体が流れる方向と、ガイドワイヤ格納具３からガイドワイヤ２を取り出す際にガイドワイヤ２を移動させる方向とが同一であるので、そのガイドワイヤ２を移動させる方向が判り易く、例えば、熟練していない術者（操作者）でも、容易、迅速かつ確実に、ガイドワイヤ２を取り出すことができる。
【００７２】
また、先端側管体４の基端と基端側管体５の先端とが互いに離間して配置されているので、ガイドワイヤ格納具３からガイドワイヤ２を取り出す際は、その先端側管体４の基端と基端側管体５の先端との間に露出したガイドワイヤ２の本体部２２を手指で把持してそのガイドワイヤ２を先端方向に送ることができる。これにより、ガイドワイヤ２の先端部の親水性被覆層に触れることなく、容易かつ迅速に、ガイドワイヤ２を取り出すことができる。
【００７３】
また、このガイドワイヤ格納具３と異なり、液体導入ポートが先端側管体の先端部に設置されている格納具では、ガイドワイヤ２が液体導入ポートの箇所に位置していると、液体供給具を液体導入ポートに接続することができないか、または、接続できたとしてもガイドワイヤ２を損傷、破損させてしまうことがあるが、このガイドワイヤ格納具３では、液体導入ポート６が先端側管体４の基端部に設置されているので、液体導入ポート６に液体供給具を確実に接続させることができるとともに、ガイドワイヤ２を損傷、破損させてしまうことを防止することができる。
【００７４】
なお、本発明では、先端側管体４の先端部に、例えば、ダックビル弁等を設けてもよい。この場合、ダックビル弁の向きは、ガイドワイヤ２が先端方向に容易に移動し得るようにする。これにより、先端側管体４の先端からの液体の流出を防止（または抑制）することができ、これにより、使用する液体の量をさらに減少させることができる。
【００７５】
＜第２実施形態＞
図３は、本発明の医療用長尺体格納具組立体をガイドワイヤ格納具組立体に適用した場合の第２実施形態における液体導入ポートを示す断面図である。なお、以下では、図３中の左側を「先端」、右側を「基端（後端）」、上側を「上」、下側を「下」として説明を行う。
【００７６】
以下、第２実施形態について、前述した第１実施形態との相違点を中心に説明し、同様の事項については、その説明を省略する。
【００７７】
第２実施形態は、液体導入ポートの構成が異なること以外は前記第１実施形態と同様である。
【００７８】
図３に示すように、第２実施形態のガイドワイヤ格納具組立体１のガイドワイヤ格納具３では、液体導入ポート６は、ガイドワイヤ２が配置される第１のポート６３と、図示しない液体供給具が着脱自在に接続される第２のポート６４とを有し、その先端部が、先端側管体４の基端部に固着（固定的に設置）されている。第１のポート６３の内腔と、第２のポート６４の内腔とは、互いの先端部において合流している。
【００７９】
また、第１のポート６３の内部には、開閉可能な閉じたスリット（開閉口）６５１が形成された弁体６５が、その第１のポート６３の内腔を塞ぐように設置されており、ガイドワイヤ２は、その弁体６５のスリット６５１を挿通している。これにより、液体供給具を第２のポート６４に接続し、その液体供給具により先端側管体４内に液体を供給する際、第１のポート６３からの液体の漏れを防止することができる。
【００８０】
このガイドワイヤ格納具組立体１によれば、前述した第１実施形態と同様の効果が得られる。
【００８１】
なお、第１のポート６３の内径を小さく、すなわち、ガイドワイヤ２と第１のポート６３の内壁部との間の隙間を極めて小さくし、弁体６５を省略してもよい。これによれば、第１のポート６３からの液体の漏れを抑制しつつ、ガイドワイヤ２を容易かつ円滑に移動させることができる。
【００８２】
以上、本発明の医療用長尺体格納具および医療用長尺体格納具組立体を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００８３】
また、本発明は、前記各実施形態のうちの、任意の２以上の構成（特徴）を組み合わせたものであってもよい。
【００８４】
なお、本発明では、液体導入ポート（導入ポート本体部）は、先端側管体の途中に設けられていてもよい。この場合は、医療用長尺体の親水性を有する部位は、液体導入ポートよりも先端側の先端側管体内に収納されるのが好ましい。
また、本発明では、インサータが省略されていてもよい。
【００８５】
また、本発明では、医療用長尺体は、先端部と、先端部の基端側に設けられた本体部とを有し、先端部に親水性を有する部位を備え、本体部に疎水性を有する部位を備える長尺状のものであれば、ガイドワイヤには限定されない。なお、医療用長尺体としては、ガイドワイヤの他、例えば、カテーテル等が挙げられる。
【符号の説明】
【００８６】
１              ガイドワイヤ格納具組立体（医療用長尺体格納具組立体）
２              ガイドワイヤ（医療用長尺体）
２１            先端部
２１１          最先端部
２２            本体部
２２１          本体先端部
２２２          本体基端部
３              ガイドワイヤ格納具（医療用長尺体格納具）
４              先端側管体
４１            インサータ
５              基端側管体
６              液体導入ポート
６１            導入ポート本体部
６１１          基端部
６２            接続部
６２１          先端部
６２２          大径部
６２３          基端部
６２４          切欠き部
６２５          溝
６２            接続部
６３            第１のポート
６４            第２のポート
６５            弁体
６５１          スリット
７１            クリップ
【図１】
2010178807.tif 000003
【図２】
2010178807.tif 000004
【図３】
2010178807.tif 000005